(57)【要約】【課題】原稿先端部に照射される照射光及び反射光の光量を増大させることで、原稿読取台に載置された原稿先端部の読み取り品質の向上を図る。【解決手段】プラテン板の端部近傍に配置され、載置される原稿の先端を位置決めする原稿位置決め板３００と、この原稿位置決め板３００と並行に設けられ、シェーディング補正を行うための基準白板４００とを備えた原稿読取装置において、基準白板４００の先端部を原稿位置決め板３００の原稿先端を位置決めする先端部に一致させて配置固定するための位置決め手段を備えて、この位置決め手段は、原稿位置決め板３００の左右両側に設けられた突起部からなり、基準白板４００の先端部の両側を突起部に当接させることで、基準白板４００の先端部と原稿位置決め板３００の先端部とが一致するように位置決めされている。【選択図】図４
2009015144.tif 000002
【特許請求の範囲】
【請求項１】
原稿読取台に載置される原稿の先端を位置決めする原稿位置決め板と、前記原稿位置決め板に設けられ、シェーディング補正を行うための基準白板とを備えた原稿読取装置において、
前記基準白板の先端部を前記原稿位置決め板の原稿先端を位置決めする先端部に一致させて配置固定する位置決め手段を備えていることを特徴とする原稿読取装置。
【請求項２】
請求項1において、前記位置決め手段は、前記原稿位置決め板の左右両側に設けられた突起部からなり、前記基準白板の先端部の両側を前記突起部に当接させることで、前記基準白板の先端部と前記原稿位置決め板の先端部とが一致するように位置決めされていることを特徴とする原稿読取装置。
【請求項３】
請求項1において、前記位置決め手段は、前記原稿位置決め板の左右両側に設けられた突起部または位置決め穴と、前記基準白板の左右両側に設けられた前記突起部に対応する位置決め穴または前記位置決め穴に対応する突起部とからなり、前記基準白板の位置決め穴または突起部を前記原稿位置決め板の突起部または位置決め穴に嵌め合わせることで、前記基準白板の先端部と前記原稿位置決め板の先端部とが一致するように位置決めされていることを特徴とする原稿読取装置。
【請求項４】
請求項１において、前記位置決め手段は、前記原稿位置決め板の左右両側に設けられた段差凹部と、前記基準白板の左右両側に設けられた段差凸部とからなり、前記基準白板の段差凸部を前記原稿位置決め板の段差凹部に嵌め合わせることで、前記基準白板の先端部と前記原稿位置決め板の先端部とが一致するように位置決めされていることを特徴とする原稿読取装置。
【請求項５】
請求項１において、前記位置決め手段は、前記基準白板の先端部に設けられた位置決め面からなり、この位置決め面を前記原稿位置決め板の先端部に当接させることで、前記基準白板の先端部と前記原稿位置決め板の先端部とが一致するように位置決めされていることを特徴とする原稿読取装置。
【請求項６】
請求項５において、前記基準白板の前記位置決め面が原稿先端の位置決め部材となることを特徴とする原稿読取装置。
【発明の詳細な説明】
【技術分野】
【０００１】
本発明は、原稿に光りを照射し、原稿からの反射光に基づいて原稿の情報を読み取る原稿読取装置に係り、より詳細には、原稿読取台に載置された原稿先端部の読み取り品質の向上を図った原稿読取装置に関する。
【背景技術】
【０００２】
従来の原稿読取装置は、プラテン板を備えた原稿読取台に、プラテン板上に載置される原稿の先端を位置決めする原稿位置決め板が設けられており、この原稿位置決め板の近傍であって、プラテン板とは反対側に、シェーディング補正を行うための基準白板が配置されている（例えば、特許文献１参照）。
【０００３】
図９は、特許文献１に記載の原稿位置決め板と基準白板との配置構造を示しており、特許文献１の第２図に対応している。
【０００４】
すなわち、筐体（機枠部材）６９０の下面開口部に、原稿位置決め板（原稿突当基準部材）６７０を介してプラテン板（原稿ガラス台）６０１が配置されており、この原稿位置決め板６７０の下面に基準白板６８０が両面テープによって貼着された構造となっている。また、原稿位置決め板６７０の下面には、仕切用突起部６７１が形成されており、この仕切用突起部６７１の一方の側面（図中、左側の面）に基準白板３８０の先端部が当接され、他方の側面（図中、右側の面）と原稿位置決め板６７０の先端部下面６７２とにプラテン板６０１の先端面と上面とが当接されて固定されている。そして、原稿位置決め板６７０の先端面６７３が、原稿Ｐの先端を当接させる当接基準面となっている。
【特許文献１】実開昭６３−１９６１６１号公報
【発明の開示】
【発明が解決しようとする課題】
【０００５】
ところで、上記構造の原稿読取装置では、図１０に構造を一部拡大して示すように、光源７００から原稿位置決め板６７０の原稿先端部近傍への照射光Ｓは、その反射光が乱反射して原稿Ｐの先端部Ｐ１に照射されている。そのため、原稿位置決め板６７０の成形色の濃度が高い場合（例えば、黒や茶色等）には、特に仕切用突起部６７１や先端部下面６７２部分での反射光Ｓ１の照度が低下（図１０中、破線により示す）し、原稿Ｐの先端部Ｐ１に照射される光量が低下して、原稿先端部Ｐ１の読み取り画像が暗くなるといった問題が生じていた。
【０００６】
本発明はかかる問題点を解決すべく創案されたもので、その目的は、原稿先端部に照射される照射光及び反射光の光量を増大させることで、原稿読取台に載置された原稿先端部の読み取り品質の向上を図った原稿読取装置を提供することにある。
【課題を解決するための手段】
【０００７】
上記課題を解決するため、本発明の原稿読取装置は、原稿読取台に載置される原稿の先端を位置決めする原稿位置決め板と、前記原稿位置決め板に設けられ、シェーディング補正を行うための基準白板とを備えた原稿読取装置において、前記基準白板の先端部を前記原稿位置決め板の原稿先端を位置決めする先端部に一致させて配置固定する位置決め手段を備えていることを特徴としている。
【０００８】
すなわち、本発明では、原稿位置決め板の先端部の濃度を下げることで乱反射光の光量を上げ、原稿先端部への照射光の光量を維持するようにしたものである。そのため、本発明では、原稿先端部の濃度を下げるための部材として、基準白板を利用する構成としている。これにより、原稿先端部の濃度を下げるための新たな部材を用意する必要がなく、また、基準白板を原稿位置決め板に貼り付ける貼り付け行程も従来と同様でよく、作業を簡略化することができる。
【０００９】
より具体的に説明すると、前記位置決め手段は、前記原稿位置決め板の左右両側に設けられた突起部からなり、前記基準白板の先端部の両側を前記突起部に当接させることで、前記基準白板の先端部と前記原稿位置決め板の先端部とが一致するように位置決めされた構造としている。この構造によれば、基準白板は単純な矩形形状のままでよいので、１枚の基準白板用原板から基準白板を切り出すときに、切れ端が出るのを無くすことができ、１枚の原板からの取り数を多くすることができる。
【００１０】
また、本発明では、前記位置決め手段は、前記原稿位置決め板の左右両側に設けられた突起部または位置決め穴と、前記基準白板の左右両側に設けられた前記突起部に対応する位置決め穴または前記位置決め穴に対応する突起部とからなり、前記基準白板の位置決め穴または突起部を前記原稿位置決め板の突起部または位置決め穴に嵌め合わせることで、前記基準白板の先端部と前記原稿位置決め板の先端部とが一致するように位置決めさた構造とする。この構造によれば、互いの突起部と位置決め穴とを嵌め合わせるだけで位置決めができるので、位置決め精度を向上させることができる。
【００１１】
また、本発明では、前記位置決め手段は、前記原稿位置決め板の左右両側に設けられた段差凹部と、前記基準白板の左右両側に設けられた段差凸部とからなり、前記基準白板の段差凸部を前記原稿位置決め板の段差凹部に嵌め合わせることで、前記基準白板の先端部と前記原稿位置決め板の先端部とが一致するように位置決めされた構造とする。この構造によれば、原稿位置決め板の段差凹部に基準白板を収めることができ、基準白板が原稿位置決め板の下面から下方に突出することがないため、基準白板の剥がれを防止することができる。
【００１２】
また、本発明では、前記位置決め手段は、前記基準白板の先端部に設けられた位置決め面からなり、この位置決め面を前記原稿位置決め板の先端部に当接させることで、前記基準白板の先端部と前記原稿位置決め板の先端部とが一致するように位置決めされた構造とする。より具体的に説明すると、従来の基準白板の先端部を延設し、その延設先端部を上方に折り曲げてＬ字形状とし、その折り曲げ部の内面を位置決め面としている。そして、この位置決め面を原稿位置決め板の先端部に突き当てるようにして固定することで、基準白板の先端部と原稿位置決め板の先端部とをぴったりと一致させることが可能となる。すなわち、本発明では、基準白板の折り曲げ部の外面側が原稿先端の当接基準面となる。
【発明の効果】
【００１３】
本発明によれば、原稿位置決め板の先端部の濃度を下げることで、原稿読取台に載置された原稿先端部への照射光量を増大し、これによって原稿読取台に載置された原稿先端部の読み取り品質を向上させることができる。この場合、原稿先端部の濃度を下げるための部材として基準白板を利用することで、基準白板の貼り付け行程を簡略化することができる。
【発明を実施するための最良の形態】
【００１４】
以下、本発明に係る原稿読取装置の一実施の形態について、図面を参照して説明する。
【００１５】
−原稿読取装置の全体構成の説明−
図１は、本発明の原稿読取装置１００の全体の外観を示す斜視図である。また、図２は、図１に示した原稿読取装置１００の概略的な断面図である。
【００１６】
図２に示すように、本実施形態の原稿読取装置１００は、原稿を原稿搬送路Ｆに沿って自動的に搬送する自動原稿送り装置（以下、「ＡＤＦ」と称する）１と、搬送されてきた原稿の表面側の画像を読み取る第１画像読取手段１０と、搬送されてきた原稿の裏面側の画像を読み取る第２画像読取手段２０とを備えている。第１画像読取手段１０は、光源１１、第１〜第３ミラー１２ａ，１２ｂ，１２ｃ、レンズ１３及びＣＣＤ（イメージセンサ）１４から構成される縮小光学系の画像読取手段であり、第２画像読取手段２０は、光源２１、第１〜第４ミラー２２ａ，２２ｂ，２２ｃ，２２ｄ、レンズ２３及びＣＣＤ（イメージセンサ）２４から構成される縮小光学系の画像読取手段である。また、第２画像読取手段２０は、光源２１、第１〜第４ミラー２２ａ，２２ｂ，２２ｃ，２２ｄ、レンズ２３及びＣＣＤ２４が１つの集合体をなすようにユニット化されている。
【００１７】
図１に示した原稿読取装置１００は複写機（図示せず）の上部に設けられるもので、主として第２画像読取手段２０を収納するＡＤＦ１、及び第１画像読取手段１０を収容する主走査部２から構成されている。
【００１８】
ＡＤＦ１と主走査部２はヒンジ（図示せず）によって連結され、ＡＤＦ１はヒンジの回動によって主走査部２に対して開閉可能となっている。
【００１９】
主走査部２は、主として筐体３、筐体３の上部開口部に配置固定された透明なガラス板からなるプラテン板４、筐体３内に収容される第１画像読取手段１０から構成されている。
【００２０】
第１画像読取手段１０は、主として光源１１及び第１ミラー１２ａを保持する光源ユニット１５、第２ミラー１２ｂ及び第３ミラー１２ｃを保持するミラーユニット１６、レンズ１３及びＣＣＤ１４から構成されている。
【００２１】
主走査部２は、ユーザーが原稿をプラテン板４上に載置して原稿画像の読み取りを行う原稿固定方式による画像読取と、ＡＤＦ１によって自動的に原稿を搬送しながら原稿画像を読み取る原稿移動方式の両方式に対応している。
【００２２】
原稿固定方式によって原稿画像を読み取る場合、光源ユニット１５とミラーユニット１６は、原稿固定方式に対応したホームポジションにそれぞれ移動する。その後、光源ユニット１５は原稿に対して光を照射しながら一定の速度で副走査方向（紙面に対して左右方向）に移動して原稿の画像を走査し、それと同時にミラーユニット１６は光源ユニット１５の移動速度の１／２の移動速度で同じく副走査方向に移動する。
【００２３】
光源ユニット１５から照射され原稿から反射した光は光源ユニット１５に設けられた第１ミラー１２ａで反射したのち、ミラーユニット１６の第２及び第３ミラー１２ｂ，１２ｃによって１８０°光路変換され、第３ミラー１２ｃから反射された光はレンズ１３を介してＣＣＤ１４に結像し、電気的な画像データに変換される。
【００２４】
一方、原稿移動方式によって原稿画像を読み取る場合、光源ユニット１５及びミラーユニット１６は、図２に示されるホームポジションに静止したまま、ＡＤＦ１によってホームポジションの上部を通過するように搬送される原稿に対して光源１１から光を照射して画像を走査し、原稿の表面側から反射された光は、上述の原稿固定方式と同様に第１ミラー１２ａによって反射された後、ミラーユニット１６の第２及び第３ミラー１２ｂ，１２ｃによって１８０°光路変換され、レンズ１３を介してＣＣＤ１４に結像し、電気的な画像データに変換される。
【００２５】
図２に示されるように、ＡＤＦ１は、主として原稿載置台５に載置された原稿を１枚ずつＡＤＦ１の内部へ呼び込む呼び込みローラ６、呼び込まれた原稿を原稿搬送路Ｆに沿って搬送する複数対の搬送ローラ７、給紙タイミングを調節するレジストローラ８、画像読み取りを終えた原稿を排紙トレイ３０へ排出する排紙ローラ９から構成され、ユニット化された第２画像読取手段２０が略Ｕ字状に弧を描く原稿搬送路Ｆ内に収まるように配設されている。
【００２６】
第２画像読取手段２０は、主として光源２１を保持する光源ホルダー２５、第１ミラー２２ａ、第２ミラー２２ｂ、第３ミラー２２ｃ、第４ミラー２２ｄ、レンズ２３及びＣＣＤ２４から構成され、これらの各部材は１つの集合体をなすようにユニット用筐体２６に収容されることによりユニット化されている。なお、第２画像読取手段２０において、光源ホルダー２５に保持された光源２１、レンズ２３、ＣＣＤ２４は、第１画像読取手段を構成するそれらと同一のものである。
【００２７】
上述の通り、第２画像読取手段２０は、ユーザーから両面読み取りの要求がなされた際に、原稿搬送路Ｆを搬送される原稿の裏面側の画像を読み取る。具体的には、第１画像読取手段１０によって原稿の表面側の画像が読み取られた後、該原稿は原稿搬送路Ｆに沿って排出トレイ３０へ向けて搬送される間に、第２画像読取手段の光源ホルダー２５の下部を通過する。この際に第２画像読取手段２０の光源２１は原稿の裏面側へ向けて光を照射し、原稿の裏面側から反射された光は、第１〜第４ミラー２２ａ，２２ｂ，２２ｃ，２２ｄによって順次光路変換された後、レンズ２３を介してＣＣＤ２４に結像し、電気的な画像データに変換される。
【００２８】
また、ＡＤＦ１の下面は、主走査部２のプラテン板４上に載置された読み取り原稿を上から押さえる押さえ板２８となっている。この押さえ板２８は、第１画像読取手段２０の光源ホルダー２５に対峙する部分が開放可能な蓋体２９となっている。
【００２９】
また、プラテン板４の端部近傍に、原稿位置決め板３００が配置されており、この原稿位置決め板３００の下面（プラテン板４側）に、原稿固定方式の場合のシェーディング補正に用いられる基準白板４００が配置固定されている。
【００３０】
−原稿読取装置の電気的構成の説明−
図３は、本実施形態の原稿読取装置１００の電気的構成の主要部を概略的に示すブロック図である。
【００３１】
本実施形態の原稿読取装置１００は、主として制御部１０１、スキャナ部１０２、画像処理部１０３、記憶部１０４、通信部１０５、操作パネル部１０６、原稿走査部駆動モータ１０７ａを駆動制御するドライバ１０７、原稿搬送ローラ駆動モータ１０８ａを駆動制御するドライバ１０８から構成されている。
【００３２】
制御部１０１は、装置全体の動作制御を管理する部分であり、図示は省略しているがＣＰＵ、ＲＯＭ、ＲＡＭ等によって構成されている。
【００３３】
スキャナ部１０２は、図２に示す第１及び第２画像読取手段１０，２０の光学走査系を構成する。第１及び第２画像読取手段１０，２０のＣＣＤ１４，２４は、上記説明では光学縮小方式のＣＣＤ（Charge Coupled Devices）としているが、等倍光学方式のＣＩＳ（Contact Image Sensor）でもよい。
【００３４】
画像処理部１０３は、第１画像読取手段１０または第２画像読取手段２０で読み取った光学データを、ページ単位で電気的な画像データに変換する。
【００３５】
記憶部１０４は、例えばＲＡＭ、ＥＥＰＲＯＭ、ハードディスク、ＭＯなどで構成され、制御部１０１によって制御される制御中のデータ、入力された各種指示内容を記憶する。また、記憶部１０４は、スキャナ部１０２で読み取った原稿画像を記憶する原稿画像記憶部、変換された文字列のコードからなる文書を記憶する文書記憶部として機能する領域を備えている。
【００３６】
通信部１０５は、接続されたコンピュータやプリンタといった外部機器２００との間で双方向通信を行う通信部であり、画像処理部１０３で画像処理したデータを外部機器２００に送信する。また、外部機器２００から送信されてきたデータを本装置が扱えるデータに展開するためのメモリを備えている。
【００３７】
操作パネル部１０６は、図示は省略しているが、図１に示す原稿読取装置１００の手前側に配置される。具体的には、主走査部２をＡＤＦ１より手前側まで拡張し、その上面部分に配置される。操作パネル部１０６は、原稿読取時の動作モード（片面読み取りや両面読み取りなどの指定）を入力する場合などに用いられる。
【００３８】
原稿走査部駆動モータ１０７ａは、原稿固定方式によって原稿画像を読み取る場合に、光源ユニット１５及びミラーユニット１６を適宜の速度で副走査方向に移動させるためのモータであり、制御部１０１からの制御により、ドライバ１０７によって適宜駆動制御される。
【００３９】
原稿搬送ローラ駆動モータ１０８ａは、原稿搬送路Ｆに配置された呼び込みローラ６、搬送ローラ７、レジストローラ８、排紙ローラ９などの各ローラを駆動するモータであり、制御部１０１からの制御により、ドライバ１０８によって適宜駆動制御される。
【００４０】
−本実施形態に係わる原稿位置決め板及び基準白板の説明−
図４は、本実施形態に係わる原稿位置決め板３００と基準白板４００との配置構造を一部拡大して示す断面図である。
【００４１】
本実施形態では、原稿位置決め板３００は、プラテン板４の端部近傍に配置されており、この原稿位置決め板３００の下面にシェーディング補正を行うための基準白板４００が配置されている。従来技術と本実施形態との違いは、この基準白板４００の先端部が、原稿位置決め板３００の先端部に一致するまで延設されている点であり、そのため、本実施形態では、基準白板４００の先端部を原稿位置決め板３００の先端部に一致させて配置固定するための位置決め手段を備えている。
【００４２】
すなわち、本実施形態では、原稿位置決め板３００の先端部（原稿の先端部を突き当てる部分）の濃度を下げることで乱反射光の光量を上げ、原稿先端部への照射光の光量を維持するようにしたものであり、原稿先端部の濃度を下げるための部材として、基準白板４００を利用する構成としている。これにより、原稿先端部の濃度を下げるための新たな部材を用意する必要がなく、また、基準白板４００を原稿位置決め板３００に貼り付ける貼り付け行程も従来と同様でよく、作業を簡略化することができるものである。
【００４３】
以下、基準白板４００の先端部を原稿位置決め板３００の先端部に一致させて配置固定するための位置決め手段の実施例について説明する。
【００４４】
＜実施例１＞
図５は、位置決め手段の実施例１を示す説明図であり、（ａ）は基準白板４００Ａの平面図、（ｂ）は原稿位置決め板３００Ａを下面側（図２中、下側）から見た平面図、（ｃ）は基準白板４００Ａを原稿位置決め板３００Ａに配置固定した状態を下面側（図２中、下側）から見た平面図である。
【００４５】
すなわち、本実施例１では、基準白板４００Ａは、単純な矩形形状であり、従来技術の基準白板と同じである。一方、原稿位置決め板３００Ａは、原稿の先端部を突き当てる側である原稿基準先端部３０１の左右（原稿搬送方向に直交する方向）両側部分をそれぞれ外側に延設させ、これら延設部分３０２，３０２に、基準白板４００Ａの先端部４０１の両側を受け止める突起部３０３，３０３をそれぞれ設けたものである。これら突起部３０.３，３０３は、原稿位置決め板３００Ａの原稿基準先端部３０１と同じラインＬ上に、基準白板４００Ａの先端部を受け止める受け止め面３０４，３０４が位置するように形成されている。
【００４６】
これにより、基準白板４００Ａの先端部４０１をこれら突起部３０３，３０３の受け止め面３０４，３０４に当接させるだけで、図５（ｃ）に示すように、基準白板４００Ａの先端部４０１の位置と原稿位置決め板３００Ａの原稿基準先端部３０１の位置とを一致させることができる。従って、この状態で、両面テープや接着剤を用いて基準白板４００Ａを原稿位置決め板３００Ａに貼り付ければ、図４に示す原稿位置決め板３００と基準白板４００との配置構造を簡単かつ正確に実現することができる。この場合、基準白板４００Ａが左右方向にずれてもよいので、貼り付け作業の失敗も少なく、作業性も向上するものである。
【００４７】
また、本実施例１の構造によれば、基準白板４００Ａは単純な矩形形状のままでよいので、１枚の基準白板用原板から基準白板を切り出すときに、切れ端が出るのを無くすことができ、１枚の原板からの取り数を多くすることができるといった製造コストの削減も可能となる。
【００４８】
＜実施例２＞
図６は、位置決め手段の実施例２を示す説明図であり、（ａ）は基準白板４００Ｂの平面図、（ｂ）は原稿位置決め板３００Ｂを下面側（図２中、下側）から見た平面図、（ｃ）は基準白板４００Ｂを原稿位置決め板３００Ｂに配置固定した状態を下面側（図２中、下側）から見た平面図である。
【００４９】
すなわち、本実施例２では、基準白板４００Ｂも原稿位置決め板３００Ｂも、単純な矩形形状であるが、原稿位置決め板３００Ｂの左右（原稿搬送方向に直交する方向）両側部分にそれぞれ円柱状の突起部３１１，３１１が形成されており、これに対向する基準白板４００Ｂの左右（原稿搬送方向に直交する方向）両側部分にそれぞれ楕円形状の位置決め穴４１１，４１１が形成されている。この位置決め穴４１１は突起部３１１より径大に形成されている。そして、基準白板４００Ｂの位置決め穴４１１を原稿位置決め板３００Ｂの突起部３１１に嵌め合わせ、突起部３１１が位置決め穴４１１の一方の端部４１２に当接するように基準白板４００Ｂを図中矢符Ｘ方向にスライドさせることにより、図６（ｃ）に示すように、基準白板４００Ｂの先端部４０１の位置と原稿位置決め板３００Ｂの原稿基準先端部３０１の位置とが一致するようになっている。すなわち、突起部３１１の形成位置と位置決め穴４１１の形成位置とは、このような位置関係となるように予め設定されている。
【００５０】
これにより、基準白板４００Ｂの位置決め穴４１１を原稿位置決め板３００Ｂの対向する突起部３１１に嵌め合わせ、図中Ｘ方向に押し当てるだけで、図６（ｃ）に示すように、基準白板４００Ｂの先端部４０１の位置と原稿位置決め板３００Ｂの原稿基準先端部３０１の位置とを一致させることができる。従って、この状態で、両面テープや接着剤を用いて基準白板４００Ｂを原稿位置決め板３００Ｂに貼り付ければ、図４に示す原稿位置決め板３００と基準白板４００との配置構造を簡単かつ正確に実現することができる。
【００５１】
本実施例２の構造によれば、基準白板４００Ｂ及び原稿位置決め板３００Ｂは単純な矩形形状のままでよいので、１枚の基準白板用原板及び原稿位置決め板用原板から基準白板及び原稿位置決め板をそれぞれ切り出すときに、切れ端が出るのを無くすことができ、１枚の原板からの取り数を多くすることができるといった製造コストの削減も可能となる。
【００５２】
＜実施例３＞
図７は、位置決め手段の実施例３を示す説明図であり、（ａ）は基準白板４００Ｃの平面図、（ｂ）は原稿位置決め板３００Ｃを下面側（図２中、下側）から見た平面図、（ｃ）は基準白板４００Ｃを原稿位置決め板３００Ｃに配置固定した状態を下面側（図２中、下側）から見た平面図である。
【００５３】
本実施例３では、矩形形状に形成された基準白板４００Ｃの左右（原稿搬送方向に直交する方向）両側部分の先端部４０１側の角部を逆Ｌ字形状に切り欠くことによって、当接基準面（段差凸部）４２１が形成されている。一方、矩形形状に形成された原稿位置決め板３００Ｃの下面には、上記形状の基準白板４００Ｃと略同形状（ただし、左右方向は若干広め）、かつ、その深さが基準白板４００Ｃの厚みと略一致する嵌合凹部３２１が形成されている。そして、この嵌合凹部３２１には、基準白板４００Ｃの当接基準面４２１を受け止める当接基準面（段差凹部）３２２が形成されている。そして、基準白板４００Ｃを原稿位置決め板３００Ｃの嵌合凹部３２１に嵌め合わせ、基準白板４００Ｃの当接基準面４２１が原稿位置決め板３００Ｃの当接基準面３２２に当接するように、基準白板４００Ｃを図中矢符Ｘ方向にスライドさせることにより、図７（ｃ）に示すように、基準白板４００Ｃの先端部４０１の位置と原稿位置決め板３００Ｃの原稿基準先端部３０１の位置とが一致するようになっている。すなわち、各当接基準面３２２，４２１の形成位置は、このような位置関係となるように予め設定されている。
【００５４】
これにより、基準白板４００Ｃを原稿位置決め板３００Ｃの嵌合凹部３２１に嵌め合わせ、図中Ｘ方向に押し当てるだけで、図７（ｃ）に示すように、基準白板４００Ｃの先端部４０１の位置と原稿位置決め板３００Ｃの原稿基準先端部３０１の位置とを一致させることができる。従って、この状態で、両面テープや接着剤を用いて基準白板４００Ｃを原稿位置決め板３００Ｃに貼り付ければ、図４に示す原稿位置決め板３００と基準白板４００との配置構造を簡単かつ正確に実現することができる。
【００５５】
本実施例３の構造によれば、原稿位置決め板３００Ｃの段差凹部３２１に基準白板４００Ｃを収めることができ、基準白板４００Ｃが原稿位置決め板３００Ｃの下面から下方に突出することがないため、基準白板４００Ｃの剥がれを防止することができる。
【００５６】
＜実施例４＞
図８は、位置決め手段の実施例４を示す説明図であり、（ａ）は基準白板４００Ｄを原稿位置決め板３００Ｄに貼り付ける前の縦断面図、（ｂ）は基準白板４００Ｄを原稿位置決め板３００Ｄに貼り付けた後の縦断面図である。
【００５７】
本実施例４では、原稿位置決め板３００Ｄには何ら加工を施すことなく、基準白板４００Ｄの先端部４０１を延設し、その延設先端部を上方に折り曲げてＬ字形状とし、その折り曲げ部４３１の内面側を位置決め面４３２としている。そして、この位置決め面４３２を原稿位置決め板３００Ｄの先端部（先端面）３０１に突き当てるようにして固定することで、図８（ｂ）に示すように、基準白板４００Ｄの折り曲げ部（先端部）４３１と原稿位置決め板３００Ｄの先端部（先端面）３０１とをぴったりと一致させることが可能となる。すなわち、この場合には、基準白板４００Ｄの折り曲げ部４３１の外面４３３側が、原稿先端部の突き当て面（当接基準面）となる。
【図面の簡単な説明】
【００５８】
【図１】本実施形態の原稿読取装置の全体の外観を示す斜視図である。
【図２】本実施形態の原稿読取装置の概略的な断面図である。
【図３】本実施形態の原稿読取装置の電気的構成の主要部を概略的に示すブロック図である。
【図４】本実施形態に係わる原稿位置決め板と基準白板との配置構造を一部拡大して示す断面図である。
【図５】位置決め手段の実施例１を示す説明図であり、（ａ）は基準白板の平面図、（ｂ）は原稿位置決め板を下面側から見た平面図、（ｃ）は基準白板を原稿位置決め板に配置固定した状態を下面側から見た平面図である。
【図６】位置決め手段の実施例２を示す説明図であり、（ａ）は基準白板の平面図、（ｂ）は原稿位置決め板を下面側から見た平面図、（ｃ）は基準白板を原稿位置決め板に配置固定した状態を下面側から見た平面図である。
【図７】位置決め手段の実施例３を示す説明図であり、（ａ）は基準白板の平面図、（ｂ）は原稿位置決め板を下面側から見た平面図、（ｃ）は基準白板を原稿位置決め板に配置固定した状態を下面側から見た平面図である。
【図８】位置決め手段の実施例４を示す説明図であり、（ａ）は基準白板４００Ｄを原稿位置決め板３００Ｄに貼り付ける前の縦断面図、（ｂ）は基準白板４００Ｄを原稿位置決め板３００Ｄに貼り付けた後の縦断面図である。
【図９】特許文献１に記載の原稿位置決め板と基準白板との配置構造を示す概略断面図である。
【図１０】図９に示す原稿位置決め板と基準白板との配置構造の一部を拡大して示す説明図である。
【符号の説明】
【００５９】
１  自動原稿送り装置（ＡＤＦ）
２  主走査部
１０  第１画像読取手段
２０  第２画像読取手段
１１，２１  光源
１３，２３  レンズ
１４，２４  ＣＣＤ（イメージセンサ）
２５  光源ホルダー
１００  原稿読取装置
１０１  制御部
１０２  スキャナ部
１０３  画像処理部
１０４  通信部
１０５  操作パネル部
１０７，１０８  ドライバ
１０７ａ  原稿走査部駆動モータ
１０８ａ  原稿搬送ローラ駆動モータ
２００  外部機器
３００（３００Ａ〜３００Ｄ）  原稿位置決め板
３０１  原稿基準先端部
３０２  延設部分
３０３  突起部
３０４  受け止め面
３１１  突起部
３２１  嵌合凹部
３２２  当接基準面（段差凹部）
４００（４００Ａ〜４００Ｄ）  基準白板
４０１  先端部
４１１  位置決め穴
４１２  端部
４２１  当接基準面（段差凸部）
【図１】
2009015144.tif 000003
【図２】
2009015144.tif 000004
【図３】
2009015144.tif 000005
【図４】
2009015144.tif 000006
【図５】
2009015144.tif 000007
【図６】
2009015144.tif 000008
【図７】
2009015144.tif 000009
【図８】
2009015144.tif 000010
【図９】
2009015144.tif 000011
【図１０】
2009015144.tif 000012